(57)【要約】      （修正有）【課題】防水性及び防塵性を向上させるステータユニット、モータ、及びファンモータを提供する。【解決手段】ファンモータは、中心軸ＣＡを中心に回転可能な複数の翼部を有するインペラ４００と、インペラ４００を回転駆動するモータを備える。モータは、中心軸ＣＡを中心に回転可能なロータ１と、ロータ１を支持するステータユニット２を備える。ステータユニット２は、ステータと、固定部と、樹脂部２１と、被覆部２５を備える。ステータでは、インシュレータ２０２を介してコイル部２０３がステータコア２０１に設けられる。固定部はステータを固定する。樹脂部２１は、ステータの少なくとも一部及び固定部の一部を覆う。被覆部２５は、ステータと樹脂部２１との間の界面の端部、樹脂部２１と固定部との間の界面の端部、及び、ステータと固定部との間の界面の端部のうちの少なくともいずれか一方を覆う。【選択図】図２
2018198521.tif 000002
【特許請求の範囲】
【請求項１】
中心軸を中心にして回転可能なロータを支持するステータユニットであって、
インシュレータを介してコイル部がステータコアに設けられたステータと、
前記ステータを固定する固定部と、
前記ステータの少なくとも一部及び前記固定部の一部を覆う樹脂部と、
前記ステータと前記樹脂部との間の界面の端部、前記樹脂部と前記固定部との間の界面の端部、及び、前記ステータと前記固定部との間の界面の端部のうちの少なくともいずれかを覆う被覆部と、
を備えるステータユニット。
【請求項２】
前記被覆部は、蒸着膜である請求項１に記載のステータユニット。
【請求項３】
前記被覆部は、前記ステータコアと前記インシュレータとの間の界面の第１のステータコア界面端部を覆う請求項１又は請求項２に記載のステータユニット。
【請求項４】
前記被覆部は、前記インシュレータの表面を直接に覆うインシュレータ被覆部を含む請求項１〜請求項３のいずれかに記載のステータユニット。
【請求項５】
前記ステータコアは、前記ロータのマグネットと対向し、
前記被覆部は、前記ステータコアの前記マグネットと対向する表面を直接に被覆する対向面被覆部を含む請求項１〜請求項４のいずれかに記載のステータユニット。
【請求項６】
前記固定部は、前記ステータを支持する支持部を有し、
前記被覆部は少なくとも、前記ステータコアと前記支持部との間の界面の第２のステータコア界面端部を覆う請求項１〜請求項５のいずれかに記載のステータユニット。
【請求項７】
前記被覆部は、前記支持部の表面を直接に覆う支持部表面被覆部を含む請求項６に記載のステータユニット。
【請求項８】
前記固定部は、前記ステータユニットを収容するケーシングに前記支持部を取り付ける取付部をさらに有し、
前記被覆部はさらに、前記支持部と前記取付部との間の界面の第１の取付部界面端部を覆う請求項６又は請求項７に記載のステータユニット。
【請求項９】
前記被覆部は、前記取付部の表面を直接に覆う取付部表面被覆部を含む請求項８に記載のステータユニット。
【請求項１０】
前記樹脂部は、前記取付部の少なくとも一部をさらに覆い、
前記被覆部は少なくとも、前記樹脂部と前記取付部との間の界面の第２の取付部界面端部を覆う請求項８又は請求項９に記載のステータユニット。
【請求項１１】
前記ステータユニットの軸方向一方側における端部において、
前記樹脂部は、前記支持部に接し、
前記被覆部は、前記支持部と前記樹脂部との間の界面の支持部界面端部を覆う請求項６〜請求項１０のいずれかに記載のステータユニット。
【請求項１２】
前記被覆部は少なくとも、前記インシュレータと前記樹脂部との間の界面のインシュレータ界面端部を覆う請求項１〜請求項１１のいずれかに記載のステータユニット。
【請求項１３】
前記被覆部は、前記樹脂部の表面を直接に覆う樹脂表面被覆部を含む請求項１〜請求項１２のいずれかに記載のステータユニット。
【請求項１４】
前記被覆部は、前記ステータと、前記固定部と、前記樹脂部の外表面を全て覆う請求項１〜請求項１３のいずれかに記載のステータユニット。
【請求項１５】
前記被覆部は、前記樹脂部を介して、前記ステータの少なくとも一部を覆う請求項１〜請求項１４のいずれかに記載のステータユニット。
【請求項１６】
前記被覆部は、前記ステータの少なくとも一部を覆い、
前記樹脂部は、前記被覆部を介して、前記ステータの少なくとも一部を覆う請求項１〜請求項９のいずれかに記載のステータユニット。
【請求項１７】
前記ステータは、前記コイル部と電気的に接続される基板を有し、
前記被覆部は、前記基板の表面の全てを覆う基板被覆部を含む請求項１６に記載のステータユニット。
【請求項１８】
中心軸を中心に回転可能なロータと、
前記ロータを駆動するステータを有する請求項１〜請求項１７のいずれかに記載のステータユニットと、を備えるモータ。
【請求項１９】
中心軸を中心に回転可能な複数の翼部を有するインペラと、
前記インペラを回転駆動する請求項１８に記載のモータと、を備えるファンモータ。
【発明の詳細な説明】
【技術分野】
【０００１】
本発明は、ステータユニット、モータ、及びファンモータに関する。
【背景技術】
【０００２】
従来のモータでは、防水性及び防塵性を高めるため、様々な試みがなされている。たとえば、特許文献１では、シリコーン・ゴムにより固定子が一体にモールドされたブラシレスファンモータを開示している。
【先行技術文献】
【特許文献】
【０００３】
【特許文献１】特開平１０−１９１６１１号公報
【発明の概要】
【発明が解決しようとする課題】
【０００４】
しかしながら、特許文献１のようにステータユニットを樹脂で覆っていても、ステータを覆う樹脂を収容するハウジング部と樹脂との界面部分を経由して水がステータに達することにより、たとえばステータコアの腐食などの様々な悪影響が生じる虞がある。
【０００５】
本発明は、上記の状況を鑑みて、防水性及び防塵性を向上することができるステータユニット、モータ、及びファンモータを提供することを目的とする。
【課題を解決するための手段】
【０００６】
上記目的を達成するために、本発明の例示的なステータユニットは、中心軸を中心にして回転可能なロータを支持するステータユニットであって、インシュレータを介してコイル部がステータコアに設けられたステータと、前記ステータを固定する固定部と、前記ステータの少なくとも一部及び前記固定部の一部を覆う樹脂部と、前記ステータと前記樹脂部との間の界面の端部、前記樹脂部と前記固定部との間の界面の端部、及び、前記ステータと前記固定部との間の界面の端部のうちの少なくともいずれかを覆う被覆部を備える構成とされる。
【０００７】
また、上記目的を達成するために、本発明の例示的なモータは、中心軸を中心に回転可能なロータと、前記ロータを駆動するステータを有する上記のステータユニットと、を備える構成とされる。
【０００８】
また、上記目的を達成するために、本発明の例示的なファンモータは、中心軸を中心に回転可能な複数の翼部を有するインペラと、前記インペラを回転駆動する上記のモータと、を備える構成とされる。
【発明の効果】
【０００９】
本発明の例示的なステータユニット、モータ、及びファンモータによれば、防水性及び防塵性を向上することができる。
【図面の簡単な説明】
【００１０】
【図１】図１は、ファンモータの一例を示す断面図である。
【図２】図２は、実施形態に係る被覆部の構成例を示す断面図である。
【図３】図３は、実施形態の第１変形例に係る被覆部の構成例を示す断面図である。
【図４】図４は、実施形態の第２変形例に係る被覆部の構成例を示す断面図である。
【図５】図５は、実施形態の第３変形例に係る被覆部の構成例を示す断面図である。
【図６】図６は、実施形態の第４変形例に係る被覆部の構成例を示す断面図である。
【発明を実施するための形態】
【００１１】
以下に図面を参照して本発明の例示的な実施形態を説明する。
【００１２】
なお、本明細書では、ファンモータ１００において、中心軸ＣＡと平行な方向を「軸方向」と呼ぶ。さらに、軸方向一方側であって、軸方向において後述する蓋部２３から後述するシャフトホルダ１１に向かう方向を「上方」と呼ぶ。また、軸方向他方側であって、軸方向においてシャフトホルダ１１から蓋部２３に向かう方向を「下方」と呼ぶ。また、各々の構成要素において、軸方向下方における端部を「下端部」と呼び、軸方向上方における端部を「上端部」と呼ぶ。また、各々の構成要素の表面において、軸方向下方に向く面を「下面」と呼び、軸方向上方に向く面を「上面」と呼ぶ。
【００１３】
さらに、中心軸ＣＡに直交する方向を「径方向」と呼び、中心軸ＣＡを中心とする周方向を「周方向」と呼ぶ。また、径方向において、中心軸ＣＡに向かう方向を「内方」と呼び、中心軸ＣＡから離れる方向を「外方」と呼ぶ。また、各々の構成要素において、径方向内方における端部を「内端部」と呼び、径方向外方における端部を「外端部」と呼ぶ。また、各々の構成要素の側面において、径方向内方に向く側面を「内側面」と呼び、径方向外方に向く側面を「外側面」と呼ぶ。
【００１４】
なお、以上に説明した方向、端部、及び面などの呼称は、実際の機器に組み込まれた場合での位置関係及び方向などを示すものではない。
【００１５】
＜１．実施形態＞
図１は、ファンモータ１００の一例を示す断面図である。なお、図１は、中心軸ＣＡを含むファンモータ１００の断面構造を示している。
【００１６】
＜１−１．ファンモータの概略構成＞
ファンモータ１００は、図１に示すように、アウターロータ型のモータ３００と、インペラ４００と、ケーシング５００と、を備える。モータ３００は、インペラ４００を回転駆動する駆動装置である。インペラ４００は、複数の翼部４０１を有する羽根車である。インペラ４００及び複数の翼部４０１は、中心軸ＣＡを中心に回転可能である。インペラ４００は、モータ３００の軸方向における上部に取り付けられている。インペラ４００は、モータ３００により中心軸ＣＡを中心に回転することにより、軸方向に流れる気流を発生させる。ケーシング５００は、モータ３００及びインペラ４００を収容している。
【００１７】
＜１−２．モータの概略構成＞
次に、モータ３００の構成を説明する。モータ３００は、図１に示すように、ロータ１と、シャフト１ａと、ステータユニット２と、を備える。
【００１８】
ロータ１は、上下方向に延びる中心軸ＣＡを中心として、ステータユニット２に対して回転可能である。ロータ１は、シャフトホルダ１１と、マグネット支持部材１２と、マグネット１３と、を有している。シャフトホルダ１１は、モータ３００の軸方向上方における上端部において、シャフト１ａに取り付けられている。シャフトホルダ１１には、軸方向から見て環状の凸部１１１が設けられている。凸部１１１は、シャフトホルダ１１から軸方向下方に延びている。なお、凸部１１１は、図１の例示に限定されず、マグネット支持部材１２から延びていてもよい。マグネット支持部材１２は、マグネット１３を保持する部材である。マグネット支持部材１２は、板部１２１と、円筒部１２２と、を有する。板部１２１は、シャフトホルダ１１から径方向外方に延びる円環形状の部材である。円筒部１２２は、筒状の部材であり、板部１２１の径方向外方における外端部から少なくとも軸方向下方に延びる。マグネット１３は、ステータユニット２の後述するステータ２０よりも径方向外方に位置する。マグネット１３は、円筒部１２２の内側面に保持され、ステータ２０の外側面と対向する。
【００１９】
シャフト１ａは、ロータ１に取り付けられる回転軸であり、ロータ１を支持し、中心軸ＣＡを中心にしてロータ１とともに回転可能である。なお、この例示に限定されず、シャフト１ａは、ステータユニット２に取り付けられる固定軸であってもよい。なお、シャフト１ａが固定軸である場合、ロータ１には、シャフト１ａとの間に軸受（不図示）が設けられる。
【００２０】
ステータユニット２は、ケーシング５００に保持されており、中心軸ＣＡを中心にして回転可能なロータ１を支持する。ステータユニット２は、ステータ２０と、凹部２ａと、樹脂部２１と、固定部２２と、蓋部２３と、被覆部２５と、を有する。ステータユニット２は、固定部２２によってケーシング５００に固定されている。
【００２１】
ステータ２０は、モータ３００を駆動する際にロータ１を駆動して回転させる。ステータ２０は、中心軸ＣＡを中心とする環状であり、固定部２２の後述する支持部２２１の径方向外方に固定されている。ステータ２０は、ステータコア２０１と、インシュレータ２０２と、複数のコイル部２０３と、基板２０４と、を有する。ステータコア２０１は、たとえば電磁鋼板が軸方向に積層された積層鋼板で構成される鉄心部材であり、径方向においてロータ１のマグネット１３と対向している。インシュレータ２０２は、たとえば樹脂材料を用いた絶縁部材であり、ステータコア２０１の少なくとも一部を覆っている。ステータ２０において、インシュレータ２０２を介してコイル部２０３がステータコア２０１に設けられている。より具体的には、インシュレータ２０２を介してステータコア２０１に導線が巻き付けられることにより、コイル部２０３が設けられている。基板２０４は、コイル部２０３の導線、及び、ファンモータ３００の外部に引き出された接続線２０４ａと電気的に接続されている。
【００２２】
凹部２ａは、ステータユニット２の軸方向上方における上端部においてインシュレータ２０２と支持部２２１との間に設けられ、軸方向下方に窪んでいる。凹部２ａは、軸方向から見て環状であり、凸部１１１の少なくとも一部を収容している。また、凹部２ａは、凸部１１１の少なくとも一部とともに、ステータユニット２の軸方向上方における上端部にラビリンス構造を形成している。該ラビリンス構造により、径方向外方から支持部２２１の軸方向上方における上端部に至る水分及び塵埃の侵入経路をより長くできるので、水分及び塵埃が支持部２２１の該上端部内に侵入し難くなる。
【００２３】
樹脂部２１は、ステータ２０の少なくとも一部と固定部２２の一部とを覆っている。また、本実施形態では、ステータユニット２の軸方向上方における上端部において、樹脂部２１は、凹部２ａよりも径方向外方に位置している。こうすれば、凹部２ａの径方向における幅をより広くすることができる。凹部２ａを広くすることで、凸部１１１を収容するスペースを確保することができる。従って、水分及び塵埃の侵入をより効果的に抑制することができる。また、樹脂部２１の軸方向上方における上端部は、インシュレータ２０２の軸方向上方における上端部よりも軸方向上方に位置している。こうすれば、径方向外方から支持部２２１の軸方向上方における上端部に至る水分及び塵埃の侵入経路は、さらに凸部１１１と樹脂部２１との間を経由するためにより長くなる。従って、水分及び塵埃が、支持部２２１の上端部内に、より侵入し難くなる。
【００２４】
固定部２２は、ステータ２０をケーシング５００に固定する。固定部２２の少なくとも一部は、樹脂部２１で覆われている。固定部２２は、支持部２２１と、取付部２２２と、を有する。すなわち、ステータユニット２は、支持部２２１と、取付部２２２と、を有している。
【００２５】
支持部２２１は、ステータ２０を支持する筒状の部材である。支持部２２１の内部には、軸受２２１ａが設けられ、さらにシャフト１ａが挿入されている。支持部２２１は、軸受２２１ａを介してシャフト１ａを回転可能に支持している。軸受２２１ａは、本実施形態ではボール軸受であるが、この例示に限定されず、たとえばスリーブ軸受などであってもよい。
【００２６】
取付部２２２は、複数の貫通開口を有する円環形状であり、ステータユニット２をケーシング５００に取り付けている。より具体的には、取付部２２２は、ステータユニット２を収容するケーシング５００にステータ２０及び支持部２２１を取り付けている。取付部２２２の径方向内方における内端部には支持部２２１が取り付けられている。また、取付部２２２の径方向外方における外端部は、ケーシング５００に取り付けられている。また、取付部２２２の少なくとも一部は、樹脂部２１で覆われている。
【００２７】
蓋部２３は、支持部２２１の軸方向下方における下端部に嵌め込まれており、該下端部を覆っている。
【００２８】
被覆部２５は、ステータユニット２の表面に設けられるコーティング膜である。被覆部２５の厚さは、特に限定しないが、たとえば２５［μｍ］である。被覆部２５は、たとえば化学蒸着法（ＣＶＤ）などの真空蒸着法により形成される緻密な蒸着膜であってもよい。こうすれば、ステータユニット２の各構成要素間の界面への水及び塵埃の侵入をより効果的に抑制又は防止できる。或いは、被覆部２５は、たとえばディッピングにより形成されてもよい。被覆部２５は、防水性を有する緻密なコーティング膜であることが好ましく、たとえばパリレン（登録商標）、ヒュミシール（登録商標）、エレップコート（登録商標）、フッ素樹脂などを用いたコーティング膜を用いることができる。但し、被覆部２５は、これらには限定されない。
【００２９】
＜１−３．被覆部の構成＞
次に、被覆部２５の構成例を説明する。図２は、実施形態に係る被覆部２５の構成例を示す断面図である。なお、図２は、図１の破線で囲まれた部分に対応している。
【００３０】
被覆部２５は、本実施形態では図２に示すように、被覆部２５を除いたステータユニット２の表面を全て覆っている。たとえば、被覆部２５は、ステータ２０と、固定部２２と、樹脂部２５の外表面を全て覆っている。より具体的には、被覆部２５は、ステータ２０の外表面と、固定部２２の外表面と、樹脂部２５の外表面と、を全て覆っている。なお、「外表面」は、これらの表面のうちのステータユニット２の外部に直接面する領域であって、他の構成要素で直接には覆われていない領域を指す。こうすれば、ステータユニット２において被覆部２５の内部にある構成要素（ステータコア２０１、コイル部２０３など）への水、塵埃の侵入を確実に抑制又は防止できる。被覆部２５の表面は、本実施形態では、ステータユニット２の最表面であり、ステータユニット２の外部に面している。
【００３１】
本実施形態では、特に、被覆部２５は、樹脂部２１を介して、ステータ２０の少なくとも一部を覆っている。このようにすれば、樹脂部２１を覆う被覆部２５により、ステータユニット２の防水性及び防塵性を向上することができる。
【００３２】
より具体的には、被覆部２５は、インシュレータ２０２と樹脂部２１との間の界面の第１端部ｅ１を覆っている。こうすれば、第１端部ｅ１からインシュレータ２０２と樹脂部２１との間の界面への水及び塵埃の侵入を抑制又は防止できる。なお、第１端部ｅ１は、本発明の「インシュレータ界面端部」の一例である。
【００３３】
また、本実施形態では、図２に示すように、樹脂部２１は、凹部２ａの内面を覆っていない。そのため、被覆部２５は、凹部２ａの内面を直接に覆っており、特にステータコア２０１とインシュレータ２０２との間の界面の第２端部ｅ２を覆っている。こうすれば、第２端部ｅ２からステータコア２０１とインシュレータ２０２との間の界面への水及び塵埃の侵入を抑制又は防止できる。特に、水が、ステータコア２０１及びインシュレータ２０２間の界面を通じて、たとえばステータコア２０１、コイル部２０３のような金属部分に達することを抑制又は防止できる。なお、第２端部ｅ２は、本発明の「第１のステータコア界面端部」の一例である。
【００３４】
また、被覆部２５はさらに、ステータコア２０１と支持部２２１との間の界面の第３端部ｅ３を覆っている。こうすれば、第３端部ｅ３からステータコア２０１及び支持部２２１間の界面への水及び塵埃の侵入を抑制又は防止できる。なお、第３端部ｅ３は、本発明の「第２のステータコア界面端部」の一例である。
【００３５】
また、被覆部２５はさらに、支持部２２１と取付部２２２との間の界面の第４端部ｅ４を覆っている。こうすれば、第４端部ｅ４から支持部２２１及び取付部２２２間の界面への水及び塵埃の侵入を抑制又は防止できる。なお、第４端部ｅ４は、本発明の「第１の取付部界面端部」の一例である。
【００３６】
また、被覆部２５はさらに、樹脂部２１と取付部２２２との間の界面の第５端部ｅ５を覆っている。こうすれば、第５端部ｅ５から樹脂部２１及び取付部２２２間の界面への水及び塵埃の侵入を抑制又は防止できる。なお、第５端部ｅ５は、本発明の「第２の取付部界面端部」の一例である。
【００３７】
また、被覆部２５は、本実施形態では図２に示すように、第１〜第４被覆部２５ａ〜２５ｄを含んでいる。但し、被覆部２５は、図２の例示に限定されず、第１〜第４被覆部２５ａ〜２５ｄのうちの少なくともいずれかを含む構成であってもよい。
【００３８】
第１被覆部２５ａは、樹脂部２１の表面を直接に覆っている。こうすれば、樹脂部２１を覆う第１被覆部２５ａの表面が、ステータユニット２の表面の一部分となる。そのため、樹脂部２１の表面があまり滑らかでなかったとしても、緻密な第１被覆部２５ａで覆うことによりステータユニット２の表面の上記一部分が滑らかになる。従って、ステータユニット２の表面の上記一部分での塵埃の付着を抑制できる。また、水が樹脂部２１に接することを抑制又は防止でき、さらに第１被覆部２５ａが撥水性を有する場合には、水が第１被覆部２５ａの表面に付着することも抑制できる。そのため、樹脂部２１の劣化を抑制又は防止できる。また、たとえばステータユニット２の外部からステータコア２０１、コイル部２０３のような金属部分に水、塵埃が到達するまでの距離をより長くすることができる。従って、ステータユニット２の防水性及び防塵性をより高めることができる。なお、第１被覆部２５ａは、本発明の「樹脂表面被覆部」の一例である。
【００３９】
第２被覆部２５ｂは、凹部２ａ内において、インシュレータ２０２の表面を直接に覆っている。言い換えると、第２被覆部２５ｂは、インシュレータ２０２の表面のうちの樹脂部２１又はコイル部２０３で覆われていない部分を直接に覆っている。こうすれば、インシュレータ２０２を覆う第２被覆部２５ｂの表面が、ステータユニット２の表面の一部分となる。そのため、樹脂部２１の表面があまり滑らかでなかったとしても、緻密な第２被覆部２５ｂで覆うことによりステータユニット２の表面の上記一部分が滑らかになる。従って、ステータユニット２の表面の上記一部分での塵埃の付着を抑制できる。また、水がインシュレータ２０２に接することを抑制又は防止でき、さらに第２被覆部２５ｂが撥水性を有する場合には、水が第２被覆部２５ｂの表面に付着することも抑制できる。また、たとえばステータユニット２の外部からステータコア２０１、コイル部２０３のような金属部分に水、塵埃が到達するまでの距離をより長くすることができる。従って、ステータユニット２の防水性及び防塵性をより高めることができる。なお、第２被覆部２５ｂは、本発明の「インシュレータ被覆部」の一例である。
【００４０】
第３被覆部２５ｃは、支持部２２１の表面を直接に覆っている。第３被覆部２５ｃは、より具体的には支持部２２１の表面のうちの樹脂部２１で覆われていない部分を直接に覆っており、たとえば、支持部２２１の内側面及び下面を覆っている。こうすれば、支持部２２１を覆う第３被覆部２５ｃの表面が、ステータユニット２の表面の一部となる。そのため、支持部２２１の表面があまり滑らかでなかったとしても、緻密な第３被覆部２５ｃで覆うことによりステータユニット２の表面の上記一部分が滑らかになる。従って、ステータユニット２の表面の上記一部分での塵埃の付着を抑制できる。また、水が支持部２２１に接することを抑制又は防止でき、さらに第３被覆部２５ｃが撥水性を有する場合には、水が第３被覆部２５ｃの表面に付着することも抑制できる。また、たとえばステータユニット２の外部からステータコア２０１、コイル部２０３のような金属部分に水、塵埃が到達するまでの距離をより長くすることができる。従って、ステータユニット２の防水性及び防塵性をより高めることができる。なお、第３被覆部２５ｃは、本発明の「支持部表面被覆部」の一例である。
【００４１】
第４被覆部２５ｄは、取付部２２２の表面を直接に覆っている。こうすれば、取付部２２２を覆う第４被覆部２５ｄの表面が、ステータユニット２の表面の一部となる。そのため、取付部２２２の表面があまり滑らかでなかったとしても、緻密な第４被覆部２５ｄで覆うことによりステータユニット２の表面の上記一部分が滑らかになる。従って、ステータユニット２の表面の上記一部分での塵埃の付着を抑制できる。また、水が取付部２２２に接することを抑制又は防止でき、さらに第４被覆部２５ｃが撥水性を有する場合には、水が該表面に付着することも抑制できる。そのため、取付部２２２の劣化（たとえば腐食）を抑制又は防止できる。また、たとえばステータユニット２の外部からステータコア２０１、コイル部２０３のような金属部分に水、塵埃が到達するまでの距離をより長くすることができる。従って、ステータユニット２の防水性及び防塵性をより高めることができる。なお、第４被覆部２５ｄは、本発明の「取付部表面被覆部」の一例である。
【００４２】
なお、被覆部２５は、本実施形態では図２に示すように、第１〜第５端部ｅ１〜ｅ５を含むステータユニット２の表面を覆い且つ第１〜第４被覆部２５ａ〜２５ｄを含む構成となっているが、図２の例示には限定されない。被覆部２５は、ステータ２０と樹脂部２１との間の界面の端部、樹脂部２１と固定部２２との間の界面の端部、及び、ステータ２０と固定部２２との間の界面の端部のうちの少なくともいずれかを覆う構成であればよい。このようにすれば、被覆部２５によりステータ２０と樹脂部２１との間の界面の端部から該界面への水及び塵埃の侵入、樹脂部２１と固定部２２との間の界面の端部から該界面への水及び塵埃の侵入、及び、ステータ２０と固定部２０との間の界面の端部から該界面への水及び塵埃の侵入のうちの少なくともいずれかを抑制又は防止できる。従って、ステータユニット２の防水性及び防塵性を向上することができる。特に、上述の界面を通じて水がステータコア２０１、コイル部２０３のような金属部分に達することを抑制又は防止できるので、該金属部分の腐食を抑制又は防止できる。
【００４３】
さらに、被覆部２５は、少なくとも第１端部ｅ１、第３端部ｅ３、及び第５端部ｅ５のうちの少なくともいずれかを覆う構成であればよい。
【００４４】
より具体的には、被覆部２５は少なくとも、インシュレータ２０２と樹脂部２１との間の界面の第１端部ｅ１を覆う構成であってもよい。こうすれば、少なくとも、第１端部ｅ１からインシュレータ２０２と樹脂部２１との間の界面への水及び塵埃の侵入を抑制又は防止できる。特に、水が、インシュレータ２０２と樹脂部２１との間の界面を通じて、たとえばステータコア２０１、コイル部２０３のような金属部分に達することを抑制又は防止できる。
【００４５】
或いは、被覆部２５は少なくとも、ステータコア２０１と支持部２２１との間の界面の第３端部ｅ３を覆う構成であってもよい。こうすれば、少なくとも、第３端部ｅ３からステータコア２０１及び支持部２２１間の界面への水及び塵埃の侵入を抑制又は防止できる。特に、水が、ステータコア２０１と支持部２２１との間の界面を通じて、たとえばステータコア２０１、コイル部２０３のような金属部分に達することを抑制又は防止できる。
【００４６】
若しくは、被覆部２５は少なくとも、樹脂部２１と取付部２２２との間の界面の第５端部ｅ５を覆う構成であってもよい。こうすれば、少なくとも、第５端部ｅ５から樹脂部２１及び取付部２２２間の界面への水及び塵埃の侵入を抑制又は防止できる。特に、水が、樹脂部２１と取付部２２２との間の界面を通じて、たとえばステータコア２０１、コイル部２０３のような金属部分に達することを抑制又は防止できる。
【００４７】
＜１−４．実施形態の変形例＞
次に、実施形態の変形例を説明する。なお、以下の変形例では、上述の実施形態と異なる構成を主に説明する。上述の実施形態と同様の構成要素には同じ符号を付す。また、上述の実施形態と同様の構成の説明は省略されることがある。
【００４８】
＜１−４−１．第１変形例＞
まず、実施形態の第１変形例を説明する。図３は、実施形態の第１変形例に係る被覆部の構成例を示す断面図である。なお、図３は、たとえば図１の破線で囲まれた部分に対応している。
【００４９】
第１変形例では、図３に示すように、ステータコア２０１の径方向外方における外側面が、樹脂部２１で覆われていない。なお、ステータコア２０１の外側面は、インシュレータ２０２の径方向外方における外端部と径方向において同じ位置、又は、インシュレータ２０２の径方向外方における外端部よりも径方向外方に位置している。
【００５０】
また、被覆部５は、第５被覆部２５ｅを含んでいる。第５被覆部２５ｅは、ステータコア２０１のマグネット１３と対向する表面を直接に被覆している。なお、第５被覆部２５ｅは、本発明の「対向面被覆部」の一例である。
【００５１】
こうすれば、ステータコア２０１のマグネット１３と対向する表面に樹脂部２１が設けられていなくても、該表面に水、塵埃が接することを第５被覆部２５ｅにより抑制又は防止できる。さらに第５被覆部２５ｅが撥水性を有する場合には、水が該表面に付着することも抑制できる。そのため、ステータコア２０１の劣化（たとえば腐食）を抑制又は防止できる。また、ステータユニット２に樹脂部２１を設ける際にステータコア２０１のマグネット１３と対向する表面において発生し易い樹脂部２１の被覆不良（所謂ショートモールド）を防止できる。
【００５２】
また、ステータコア２０１の外側面を樹脂部２１が覆う場合よりもステータユニット２０１の外径を大きくでき、及び／又は、マグネット１３の径方向内方における内端部をより径方向内方に位置させることができる。従って、ステータユニット２に取り付けられるロータ１のマグネット１３と、ステータコア２０１との間の隙間を狭くできる。従って、ステータ２０の駆動によるロータ１の回転がし易くなるので、モータ３００の駆動効率を向上できる。
【００５３】
＜１−４−２．第２変形例＞
次に、実施形態の第２変形例を説明する。図４は、実施形態の第２変形例に係る被覆部２５の構成例を示す断面図である。なお、図４は、本実施形態の第２変形例において、径方向から見た凹部２ａ近傍におけるファンモータ１００の断面構造を示している。
【００５４】
第２変形例では図４に示すように、ステータユニット２の軸方向上方における上端部において、樹脂部２１は、凹部２ａ内にも設けられて、支持部２２１に接している。また、被覆部２５はさらに、支持部２２１と樹脂部２１との間の界面の第６端部ｅ６を覆っている。こうすれば、凹部２内において、第６端部ｅ６から支持部２２１と樹脂部２１との間の界面への水及び塵埃の侵入を抑制又は防止できる。特に、水が、支持部２２１及び樹脂部２１間の界面を通じて、たとえばステータコア２０１、コイル部２０３のような金属部分に達することを抑制又は防止できる。なお、第６端部ｅ６は、本発明の「支持部界面端部」の一例である。
【００５５】
＜１−４−３．第３変形例＞
次に、実施形態の第３変形例を説明する。図５は、実施形態の第３変形例に係る被覆部２５の構成例を示す断面図である。なお、図５は、図１の破線で囲まれた部分の断面構造に対応している。
【００５６】
第３変形例では図５に示すように、被覆部２５は、樹脂部２１及び被覆部２５を除いたステータユニット２の表面を全て覆っている。このようにすれば、ステータユニット２において被覆部２５の内部にある構成要素（ステータコア２０１、コイル部２０３など）への水、塵埃の侵入をさらに確実に防止できる。
【００５７】
たとえば、被覆部２５は、第３変形例では、ステータ２０の少なくとも一部を覆っている。樹脂部２１は、被覆部２５を介して、ステータ２０の少なくとも一部を覆っている。こうすれば、ステータ２０の少なくとも一部と樹脂部２１との間に被覆部２５が設けられるため、樹脂部２１の端部からステータ２０の少なくとも一部と樹脂部２１との間に水、又は塵埃が侵入しても、水及び塵埃がステータ２０の少なくとも一部に達することを被覆部によって抑制又は防止できる。従って、ステータユニット２の防水性及び防塵性を向上することができる。特に、水がステータコア２０１、コイル部２０３のような金属部分に達することを抑制又は防止できるので、該金属部分の腐食を抑制又は防止できる。
【００５８】
より具体的には、被覆部２５は、第３変形例では図５に示すように、凹部２ａの内面を直接に覆っており、特に、ステータコア２０１とインシュレータ２０２との間の界面の第２端部ｅ２と、ステータコア２０１と支持部２２１との間の界面の第３端部ｅ３と、を覆っている。また、被覆部２５はさらに、支持部２２１と取付部２２２との間の界面の第４端部ｅ４を覆っている。こうすれば、第２〜第４端部ｅ２〜ｅ４から上記の界面への水及び塵埃の侵入を抑制又は防止できる。
【００５９】
また、被覆部２５は、第２被覆部２５ｂと、第３被覆部２５ｃと、第４被覆部２５ｄと、第５被覆部２５ｅと、第６被覆部２５ｆと、第７被覆部２５ｇと、第８被覆部２５ｈと、を含んでいる。
【００６０】
第２被覆部２５ｂは、上述の実施形態と同じ構成であり（たとえば図２参照）、凹部２ａ内においてインシュレータ２０２の表面を直接に覆っている。このようにすれば、塵埃、水の付着を抑制又は防止できるので、ステータユニット２の防水性及び防塵性をより高めることができる。
【００６１】
第３被覆部２５ｃは、支持部２２１の表面を直接に覆っており、特に、支持部２２１の表面のうちの樹脂部２１で覆われる部分も直接に覆っている。たとえば、第３被覆部２５ｃは、図５に示すように、支持部２２１の内側面及び下面に加えて、支持部２２１の外側面を覆っている。樹脂部２１は、支持部２２１の外側面を第３被覆部２５ｃを介して間接的に覆っている。言い換えると、第３被覆部２５ｃは、支持部２２１の外側面と樹脂部２１との間の界面において該外側面も直接に覆っている。このようにすれば、塵埃、水の付着を抑制又は防止できるので、ステータユニット２の防水性及び防塵性をより高めることができる。
【００６２】
第４被覆部２５ｄは、取付部２２２の表面を直接に覆っており、特に、取付部２２２の表面のうちの樹脂部２１で覆われる部分も直接に覆っている。たとえば、第４被覆部２５ｄは、図５に示すように、取付部２２２の下面に加えて、樹脂部２１で覆われた取付部２２２の上面及び外側面を覆っている。樹脂部２１は、取付部２２２の上面及び外側面を第４被覆部２５ｄを介して間接的に覆っている。言い換えると、第４被覆部２５ｄは、取付部２２２の上面及び外側面と樹脂部２１との間の界面において、取付部２２２の上面及び外側面も直接に覆っている。このようにすれば、塵埃の付着を抑制でき、水の付着による取付部２２２の劣化（たとえば腐食）を抑制又は防止できる。また、たとえばステータユニット２の外部からステータコア２０１、コイル部２０３のような金属部分に水、塵埃が到達するまでの距離をより長くすることができる。従って、ステータユニット２の防水性及び防塵性をより高めることができる。
【００６３】
第５被覆部２５ｅは、上述の第１変形例と同じ構成であり（たとえば図３参照）、ステータコア２０１のマグネット１３と対向する表面を直接に被覆している。なお、第３変形例では、第５被覆部２５ｅの外側面は、樹脂部２１で直接に覆われている。このようにすれば、ステータコア２０１のマグネット１３と対向する表面に水、塵埃が接することを第５被覆部２５ｅにより抑制又は防止できる。さらに第５被覆部２５ｅが撥水性を有する場合には、水が該表面に付着することも抑制できる。そのため、ステータコア２０１の劣化（たとえば腐食）を抑制又は防止できる。また、ステータユニット２に樹脂部２１を設ける際にステータコア２０１のマグネット１３と対向する表面において発生し易い樹脂部２１の被覆不良（所謂ショートモールド）を防止できる。
【００６４】
第６被覆部２５ｆは、基板２０４の表面の全てと接続線２０４ａの表面とを直接に覆っている。樹脂部２１は、基板２０４の表面と接続線２０４ａの表面とを第６被覆部２５ｆを介して間接的に覆っている。こうすれば、樹脂部２１の端部から樹脂部２１と基板２０４及び接続線２０４ａとの間に水、又は塵埃が侵入しても、第６被覆部２５ｆにより、水及び塵埃が基板２０４の表面に達することを抑制又は防止できる。特に、水が基板２０４に搭載された電気回路、電子部品などに達することを抑制又は防止できるので、これらの腐食を抑制又は防止できる。なお、第６被覆部２５ｆは、本発明の「基板被覆部」の一例である。
【００６５】
第７被覆部２５ｇは、ステータコア２０１よりも軸方向上方且つ凹部２ａよりも径方向外方において、インシュレータ２０２の表面とコイル部２０３の表面とを直接に覆っている。また、第８被覆部２５ｈは、ステータコア２０１よりも軸方向下方において、インシュレータ２０２の表面とコイル部２０３の表面とを直接に覆っている。より具体的には、第７被覆部２５ｇ及び第８被覆部２５ｈはそれぞれ、インシュレータ２０２の表面のうちの樹脂部２１で覆われる部分と、コイル部２０３の表面のうちの樹脂部２１で覆われる部分とを直接に覆っている。言い換えると、第７被覆部２５ｇ及び第８被覆部２５ｈはそれぞれ、インシュレータ２０２及びコイル部２０３と樹脂部２１との間の界面において、インシュレータ２０２及びコイル部２０３を覆っている。このようにすれば、樹脂部２１の端部から樹脂部２１とインシュレータ２０２及びコイル部２０３との間に水、塵埃が侵入しても、第７被覆部２５ｇ及び第８被覆部２５ｈにより、水、塵埃がインシュレータ２０２及びコイル部２０３の表面に達することを抑制又は防止できる。
【００６６】
なお、第３実施形態では図５に示すように、被覆部２５は、前述のように被覆部２５及び樹脂部２１を除いたステータユニット２の表面を全て覆っている。たとえば、被覆部２５は、ステータ２０と樹脂部２１との間の界面の端部、樹脂部２１と固定部２２との間の界面の端部、及び、ステータ２０と固定部２２との間の界面の端部を覆っている。但し、この例示に限定されず、被覆部２５は、ステータ２０と樹脂部２１との間の界面の端部、樹脂部２１と固定部２２との間の界面の端部、及び、ステータ２０と固定部２２との間の界面の端部のうちの少なくともいずれかを覆う構成であってもよい。このようにすれば、被覆部２５により、ステータ２０と樹脂部２１との間の界面の端部から該界面への水及び塵埃の侵入、樹脂部２１と固定部２２との間の界面の端部から該界面への水及び塵埃の侵入、及び、ステータ２０と固定部２０との間の界面の端部から該界面への水及び塵埃の侵入のうちの少なくともいずれかを抑制又は防止できる。従って、ステータユニット２の防水性及び防塵性を向上することができる。特に、上述の界面を通じて水がステータコア２０１、コイル部２０３のような金属部分に達することを抑制又は防止できるので、該金属部分の腐食を抑制又は防止できる。
【００６７】
また、被覆部２５は、樹脂部２１及び被覆部２５を除いたステータユニット２の表面を直接に覆っている。さらに、樹脂部２１は、被覆部２５の表面を直接に覆っている。但し、これらの例示に限定されず、被覆部２５は、樹脂部２１及び被覆部２５を除いたステータユニット２の表面を間接的に覆っていてもよい。さらに、樹脂部２１は、被覆部２５の表面を間接的に覆っていてもよい。
【００６８】
また、ステータユニット２の軸方向上方における上端部において、樹脂部２１は、第３変形例では図５に示すように凹部２ａ内に設けられていないが、この例示には限定されない。第３変形例において、樹脂部２１は、第２変形例と同様に、凹部２ａ内にも設けられ且つ支持部２２１に接していてもよい。この場合、被覆部２５はさらに、支持部２２１と樹脂部２１との間の界面の端部（図４の第６端部ｅ６参照）を覆う。こうすれば、第２変形例における第６端部ｅ６と同様の効果が得られる。
【００６９】
＜１−４−４．第４変形例＞
次に、実施形態の第４変形例を説明する。図６は、実施形態の第４変形例に係る被覆部２５の構成例を示す断面図である。なお、図６は、図１の破線で囲まれた部分の断面構造に対応している。
【００７０】
第４変形例では、図６に示すように、第５被覆部２５ｅが樹脂部２１で覆われていない。言い換えると、樹脂部２１は、ステータコア２０１の外側面を直接にも間接的にも覆っていない。これ以外は、第３変形例と同様である。
【００７１】
なお、ステータユニット２の軸方向上方における上端部において、樹脂部２１は、第４変形例では図６に示すように、凹部２ａ内に設けられていない。但し、この例示には限定されず、樹脂部２１は、第２変形例と同様に、凹部２ａ内にも設けられ且つ支持部２２１に接していてもよい。この場合、被覆部２５はさらに、支持部２２１と樹脂部２１との間の界面の端部（図４の第６端部ｅ６参照）を覆う。こうすれば、第２変形例における第６端部ｅ６と同様の効果が得られる。
【００７２】
＜２．その他＞
以上、本発明の実施形態について説明した。なお、本発明の範囲は上述の実施形態に限定されない。本発明は、発明の主旨を逸脱しない範囲で種々の変更を加えて実施することができる。また、上述の実施形態で説明した事項は、矛盾を生じない範囲で適宜任意に組み合わせることができる。
【００７３】
たとえば、ファンモータ１００は、上述の実施形態及びその第１〜第４変形例では軸流ファンであったが、この例示に限定されず、遠心ファンであってもよい。すなわち、ファンモータ１００は、径方向外方に流れる気流を発生させる構成であってもよい。
【００７４】
たとえば、モータ３００は、上述の実施形態及びその第１〜第４変形例ではアウターロータ型（図１参照）であったが、この例示に限定されず、インナーロータ型であってもよい。なお、モータ３００がインナーロータ型である場合、ロータ１のマグネット１３は、ステータ２０よりも径方向内方に位置する。
【産業上の利用可能性】
【００７５】
本発明は、ステータが樹脂部で覆われたステータユニットを有するモータなどに有用である。
【符号の説明】
【００７６】
１００・・・ファンモータ、３００・・・モータ、４００・・・インペラ、４０１・・・翼部、５００・・・ケーシング、１・・・ロータ、１ａ・・・シャフト、１１・・・シャフトホルダ、１１１・・・凸部、１２・・・マグネット支持部材、１２１・・・板部、１２２・・・円筒部、１３・・・マグネット、２・・・ステータユニット、２ａ・・・凹部、２０・・・ステータ、２０１・・・ステータコア、２０２・・・インシュレータ、２０３・・・コイル部、２０４・・・基板、２０４ａ・・・接続線、２１・・・樹脂部、２２・・・固定部、２２１・・・支持部、２２１ａ・・・軸受、２２２・・・取付部、２３・・・蓋部、２５・・・被覆部、２５ａ〜２５ｈ・・・第１〜第８被覆部、ＣＡ・・・中心軸、ｅ１〜ｅ６・・・界面の第１〜第６端部
【図１】
2018198521.tif 000003
【図２】
2018198521.tif 000004
【図３】
2018198521.tif 000005
【図４】
2018198521.tif 000006
【図５】
2018198521.tif 000007
【図６】
2018198521.tif 000008